(57)【要約】【課題】仮留めできるとともに施工が行いやすい水切りを提供する。【解決手段】建築物の構造躯体に固定する背板部と、該背板部の下方において前方斜め下方へ屈曲した水切り板部と、該水切り板部の前端から下方へ屈曲した前板部とを有し、該背板部の表面と背面には接着層を有し、該接着層の表面には剥離紙を有する水切りである。そして、該背板部の上端部は、接着層及び／又は剥離紙により覆われている。剥離紙は切り込み線を有することが好ましい。【選択図】図３
2011162999.tif 000002
【特許請求の範囲】
【請求項１】
建築物の構造躯体に固定する背板部と、該背板部の下方において前方斜め下方へ屈曲した水切り板部と、該水切り板部の前端から下方へ屈曲した前板部とを有する水切りであって、
背板部の表面と、背面と、上端部には、接着層を有し、
背板部の表面と、背面と、上端部の接着層は繋がっており、
接着層の表面には、剥離紙を有する
ことを特徴とする水切り。
【請求項２】
建築物の構造躯体に固定する背板部と、該背板部の下方において前方斜め下方へ屈曲した水切り板部と、該水切り板部の前端から下方へ屈曲した前板部とを有する水切りであって、
背板部の表面と、背面と、上端部には、接着層を有し、
背板部の表面及び背面には、該背板部の上端部の接着層と繋がっていない接着層を有し、
接着層の表面には、剥離紙を有する
ことを特徴とする水切り。
【請求項３】
建築物の構造躯体に固定する背板部と、該背板部の下方において前方斜め下方へ屈曲した水切り板部と、該水切り板部の前端から下方へ屈曲した前板部とを有する水切りであって、
背板部の表面と、背面と、上端部には、接着層を有し、
背板部の表面又は背面には、該背板部の上端部の接着層と繋がっていない接着層を有し、
接着層の表面には、剥離紙を有する
ことを特徴とする水切り。
【請求項４】
建築物の構造躯体に固定する背板部と、該背板部の下方において前方斜め下方へ屈曲した水切り板部と、該水切り板部の前端から下方へ屈曲した前板部とを有する水切りであって、
背板部の表面と背面にのみ、接着層を有し、
接着層の表面には、剥離紙を有し、
背板部の表面と背面の剥離紙は、繋がっており、該背板部の上端部を覆っている
ことを特徴とする水切り。
【請求項５】
請求項１〜４のいずれかに記載の水切りであって、
前記剥離紙の前記背板部の上端部に位置する部分には、切り込み線が該背板部の長さ方向に延びている
ことを特徴とする水切り。
【請求項６】
請求項１〜４のいずれかに記載の水切りであって、
前記剥離紙の前記背板部の表面に位置する部分には、切り込み線が該背板部の長さ方向に延びている
ことを特徴とする水切り。
【請求項７】
請求項１〜４のいずれかに記載の水切りであって、
前記剥離紙の前記背板部の背面に位置する部分には、切り込み線が該背板部の長さ方向に延びている
ことを特徴とする水切り。
【発明の詳細な説明】
【技術分野】
【０００１】
本発明は、建築物に配設されるとともに、外壁材の表面を伝って流下してきた雨水を前方へ排出する水切りに関するものである。
【背景技術】
【０００２】
従来、水切りは、金属板を切断、折り曲げて製造された、水平方向に長い形状であり、建築物の外壁の表面を流下した雨水が建築物内部に侵入するのを防ぐために、建築物の土台部や、上下に配置された外壁板の間などに配設されている。
【０００３】
例えば、非特許文献１には、釘などにより固定される取付壁部と、該取付壁部の下端から前方斜め下方へ屈曲した傾斜突出壁部と、該傾斜突出壁部の前端から下方へ屈曲した突出端壁部とからなる水切りが開示されている。そして、該取付壁部を釘により建築物の土台に固定して、該水切りを建築物の土台部に固定すること、及びそれにより外壁の外面を伝って流下してきた雨水を外方に導いて滴下させることが記載されている。
【０００４】
また、特許文献１には、薄板状の塩ビ鋼板を折り曲げて断面視Ｚ状に形成した、取付部と、該取付部の下端に形成された水切り部とを備えた水切りが開示されている。なお、水切り部は、取付部の下端から下側の外装材の表面上端部に向かって、該外装材の裏面側から表面側に傾斜するようにして配置され、該外装材の上端面を覆う延出部と、該延出部の先端部から該外装材の表面に沿って下方に延出し、該外装材の表面上端部を覆う別の延出部と、該別の延出部の先端部から該外装材の裏面側に向かって上方に延出する突起部とを備えることも開示されている。そして、該取付部を、上側の外装材と、下側の外装材との間から挿入し、該取付部にビスなどの止着材を打ち込んで固定し、該水切りにより、上側の外装材と下側の外装材の裏面側に雨水などの水が侵入するのを防止することが記載されている。
【０００５】
更に、特許文献２には、一枚の長尺な面材からなり、外壁本体に取り付けられる取付部と、該取付部から曲折して設けられた傾斜面と、該傾斜面から更に曲折する露出面とで構成された水切りが開示されている。そして、該水切りを、外壁と下屋とが接続される下屋接続部に配することにより、該下屋接続部を防水することが開示されている。
【０００６】
このように、水切りは、建築物の土台部や、上下に配置された外壁板の間、外壁と下屋とが接続される下屋接続部などに施工され、それにより外壁材の表面を伝って流下してきた雨水を前方へ排出する。
【０００７】
そして、いずれの施工構造にも共通することとして、水切りは構造躯体に固定される。また、外壁板と該構造躯体の間には透湿防水シートが配されており、それにより該構造躯体の防水が行われている。該透湿防水シートは、該構造躯体に固定された水切りの表面の一部をも覆うよう設けられており、通常、該透湿防水シートの下端は、粘着テープにより水切りに貼り付けられている。風で該透湿防水シートがばたつくことを防ぐためや、吹き返しなどによる下側からの雨水の浸入を防ぐために、該粘着テープは、水切りの長手方向全体に渡って、該透湿防水シートの下端を塞ぐように貼り付けられる。
【０００８】
そのため、水切りに粘着シートを貼る作業は手間がかかる。
【０００９】
そこで、特許文献３には、水切りの固定基体となる取付部の前面に、両面粘着テープなどの粘着テープが予め貼付けられている水切りが開示されている。
【００１０】
特許文献３の水切りによれば、取付部の前面に粘着テープが予め貼付けられているので、作業は軽減する。
【００１１】
しかし、水切りは前述した通り、水平方向に長い形状であり、通常約３ｍもある。そして、該水切りを構造躯体に固定するには、通常釘で固定するのだが、該水切りを水平にした状態で釘打ちする必要があり、一人では作業しにくいとともに手間がかかる。また、固定した後に、該水切りが若干傾いていることが判明し、該水切りの固定位置を直す場合、釘を抜いて、再度位置を調整し、再度釘を打たなければならないので、手間がかかる。
また、水切りは金属板を切断、折り曲げて製造されるので、運搬、施工する際に、切断部で人が怪我をする恐れや、他の商品が損傷を受ける恐れがある。
【先行技術文献】
【特許文献】
【００１２】
【特許文献１】特開２００３−９６９３１号公報
【特許文献２】特開２００２−１２１８７１号公報
【特許文献３】特開２００４−３００８７３号公報
【非特許文献】
【００１３】
【非特許文献１】登録実用新案第３０３１１２３号公報
【発明の概要】
【発明が解決しようとする課題】
【００１４】
本発明は、仮留めできるとともに施工が行いやすい水切りを提供するものである。
【課題を解決するための手段】
【００１５】
本発明は、建築物の構造躯体に固定する背板部と、該背板部の下方において前方斜め下方へ屈曲した水切り板部と、該水切り板部の前端から下方へ屈曲した前板部とを有する水切りであって、該背板部の表面と背面には接着層を有し、該接着層の表面には剥離紙を有する水切りを提供する。該接着層は、表面に該剥離紙を有するので、保管、運搬の際に、該接着層の接着性能が損なわれないと共に、水切り同士が接着することを防ぐことができる。また、該背板部の背面に該接着層を有するので、施工の際に、該剥離紙を剥がして用いると、構造躯体への該水切りの仮留めが可能となる。更に、該背板部の表面に該接着層を有するので、施工の際に、該剥離紙を剥がして用いると、透湿防水シートを該水切りに固定することが可能となる。なお、該接着層は、該背板部の上端部にも形成されている場合と該背板部の表面と背面にのみ形成されている場合の２通りがある。該背板部の上端部にも接着層が形成されている形態としては、該背板部の表面と、背面と、上端部の接着層が繋がっている形態と、該背板部の表面及び背面に上端部の接着層と繋がっていない接着層を有する形態と、該背板部の表面又は背面に上端部の接着層と繋がっていない接着層を有する形態がある。該背板部の表面と背面にのみ接着層を有する場合には、表面と背面の剥離紙は繋がっており、該背板部の上端部を覆っている。そのため、該背板部の上端部は、剥離紙により必ず覆われているので、該上端部により他の商品が損傷を受けることを防げると共に、運搬、施工する際に、該上端部で人が怪我をすることも防ぐことができる。
更に、該剥離紙は、該背板部の長さ方向に延びた切り込み線を有することが好ましい。該切り込み線は、該背板部の上端部を覆う部分に設けられている、又は、該剥離紙の該背板部の表面を覆う部分に設けられている、又は、該剥離紙の該背板部の背面を覆う部分に設けられているのいずれかであることが更に好ましい。これにより、該背板部の背面の接着層を覆う剥離紙のみを剥がすことができるので、該背板部の表面の接着層は剥離紙に覆われた状態で、該水切りを仮留めすることが可能となり、施工が行いやすい。
なお、水切りは、ガルバリウム鋼板（登録商標）、ガルタイト鋼板（登録商標）、アルミ鋼板、ステンレス鋼板、合金めっき鋼板、トタン、銅板などの金属板や、フェノール樹脂、アクリル樹脂、エポキシ樹脂などの樹脂板を折り曲げ加工、又は押出加工することにより製造されている。また、接着層は、アクリル酸エステル共重合体からなるアクリル系粘着剤、天然ゴムからなるゴム系粘着剤、ウレタン樹脂からなるウレタン系粘着剤などにより形成されているが、一般的な接着剤により形成しても良い。また、前述した接着層を有する両面粘着テープにより形成しても良い。そして、剥離紙は、半晒、上質紙、グラシン紙などからなる紙の接着層との剥離側に、ポリエチレン、ポリビニルアルコール、クレーコートなどにより目止め層が形成され、更にその上にシリコーン樹脂などにより剥離層を形成しているシートである。
【発明の効果】
【００１６】
本発明によれば、仮留めできるとともに施工が行いやすい水切りを提供することができる。
【図面の簡単な説明】
【００１７】
【図１】図１は、本発明にかかる水切りの一実施例の右側面図である。
【図２】図２は、図１に示す水切りを用いて形成された建築物の土台部の施工状態を示す断面図である。
【図３】図３は、本発明にかかる水切りの他の実施例の右側面図である。
【図４】図４は、本発明にかかる水切りの更に他の実施例の右側面図である。
【図５】図５は、本発明にかかる水切りの更に他の実施例の右側面図である。
【図６】図６は、本発明にかかる水切りの更に他の実施例の右側面図である。
【図７】図７は、本発明にかかる水切りの更に他の実施例の右側面図である。
【図８】図８は、本発明にかかる水切りの更に他の実施例の右側面図である。
【図９】図９は、本発明にかかる水切りの更に他の実施例の右側面図である。
【図１０】図１０は、本発明にかかる水切りの更に他の実施例の右側面図である。
【図１１】図１１は、本発明にかかる水切りの更に他の実施例の右側面図である。
【図１２】図１２は、本発明にかかる水切りの更に他の実施例の右側面図である。
【発明を実施するための形態】
【００１８】
以下、図面を参照しながら本発明について詳細に説明する。
【００１９】
図１は、本発明にかかる水切りの一実施例の右側面図である。
図１に示す水切りＡ１は、１枚のガルバリウム鋼板（登録商標）を折曲加工して製造されており、建築物の構造躯体に固定する背板部１ａと、背板部１ａの下方において前方斜め下方へ屈曲した水切り板部１ｂと、水切り板部１ｂの前端から下方へ屈曲した前板部１ｃが連結して形成されている。詳しくは、背板部１ａは、平坦な板部である。背板部１ａの下方端部からは水切り板部１ｂが、前方斜め下方へ延びている。水切り板部１ｂの前端からは前板部１ｃが、下方に延びている。そして、背板部１ａの表面と、上端部と、背面には、アクリル系粘着剤からなる接着層１ｄが、背板部１ａの表面から背面にかけて、長さ方向に延びており、接着層１ｄの表面は一枚の剥離紙１ｅにより覆われている。なお、剥離紙１ｅは、接着層１ｄとの接触面に、シリコーン樹脂からなる剥離層を有し、容易に剥離することができるとともに、剥離紙１ｅを剥がした後の接着層１ｄは、接着性能を有する。また、剥離紙１ｅも背板部１ａの表面から背面にかけて、長さ方向に延びている。そのため、背板部１ａの上端部は、接着層１ｄと剥離紙１ｅにより覆われており、運搬する際に、該上端部により他の商品が損傷を受けることや該上端部で人が怪我をすることも防ぐことができる。
【００２０】
図２は、図１に示す水切りを用いて形成された建築物の土台部の施工状態を示す断面図である。
図２では、図１に示す水切りＡ１は、背板部１ａの裏面を建築物の構造躯体に当接するとともに、水切り板部１ｂと前板部１ｃが外壁板Ｄより下方となり、更に前板部１ｃが建築物の構造躯体より前方になる位置に、釘Ｂにより固定してある。この施工構造では、水切りＡ１の背板部１ａに釘Ｂを打ち込むことにより、水切りＡ１を建築物の構造躯体に固定するが、水切りＡ１の背板部１ａの背面には接着層１ｄが設けられているので、剥離紙１ｅを剥がしてから建築物の構造躯体に当接させることにより、釘Ｂを打ち込む前であっても水切りＡ１を仮留めすることができる。そのため、一人でも作業を行いやすく、作業性が良い。また、仮留めして固定位置を確認してから釘Ｂを打ち込むことができる。
また、この施工構造では、水切りＡ１を建築物の構造躯体に固定し、それから、水切りＡ１の背板部１ａの表面に透湿防水シートＢを固定するのだが、水切りＡ１は、背板部１ａの表面に接着層１ｄを有するので、接着層１ｄにより透湿防水シートＢを確実に固定することができる。
更に、背板部１ａの上端部は、接着層１ｄにより覆われているので、施工する際に、該上端部で人が怪我をすることも防ぐことができる。
よって、図１に示す水切りＡ１によれば、仮留めできるとともに施工が行いやすく、作業性が良い。
【００２１】
図３は、本発明にかかる水切りの他の実施例の右側面図である。
図３に示す水切りＡ２も、図１に示す水切りＡ１と同じように、１枚のガルバリウム鋼板（登録商標）を折曲加工して製造されており、背板部２ａと、水切り板部２ｂと、前板部２ｃが連結して形成されており、背板部２ａの表面から背面にかけて、アクリル系粘着剤からなる接着層２ｄが設けられており、接着層２ｄの表面は一枚の剥離紙２ｅにより覆われている。しかし、水切りＡ２は、水切りＡ１とは剥離紙に切り込み線を有することが異なる。水切りＡ２でも、剥離紙２ｅは背板部２ａの表面から背面にかけて、長さ方向に延びているが、背板部２ａの上端部を覆う部分には、切り込み線２ｆが背板部２ａの長さ方向に延びており、切り込み線２ｆを区切りとして、背板部２ａの表面にある剥離紙と、背板部２ａの背面にある剥離紙を、別々に剥がすことができる。
そのため、図３に示す水切りＡ２では、背板部２ａの背面を覆っている剥離紙２ｅのみを剥がし、背板部２ａの表面の接着層１ｄは剥離紙２ｅに覆われたままの状態で、水切りＡ２を構造躯体に仮留め、及び、固定することができるので、水切りＡ２を仮留め、及び、固定する作業で背板部２ａの表面の接着層２ｄが汚れて接着性が劣化することを確実に防ぐことができる。なお、水切りＡ２を建築物の土台部に施工した後は、背板部２ａの表面の剥離紙２ｅを剥がし、背板部２ａの表面の接着層２ｄに透湿防水シートを固定するので、水切りＡ２を建築物の土台部に施工した状態は、図１に示す水切りＡ１と同じであり、図２の通りとなる。
よって、図３に示す水切りＡ２によれば、仮留めできるとともに施工が行いやすく、作業性が良い。
【００２２】
図４は、本発明にかかる水切りの他の実施例の右側面図である。
図４に示す水切りＡ３も、図３に示す水切りＡ２と同じように、１枚のガルバリウム鋼板（登録商標）を折曲加工して製造されており、背板部３ａと、水切り板部３ｂと、前板部３ｃが連結して形成されており、背板部３ａの表面から背面にかけて、アクリル系粘着剤からなる接着層３ｄが設けられており、接着層３ｄの表面は一枚の剥離紙３ｅにより覆われている。しかし、水切りＡ３は、水切りＡ２とは接着層の形状と剥離紙の切り込み線の位置が異なる。水切りＡ３では、背板部３ａの表面の接着層と背板部３ａの背面の接着層の長さは異なる。また、剥離紙３ｅの切り込み線３ｆは、背板部３ａの表面を覆う部分に、背板部３ａの長さ方向に延びている。
しかし、図４に示す水切りＡ３も、図３に示す水切りＡ２と同じように施工することができ、水切りＡ２と同じ効果を得ることができる。
【００２３】
図５は、本発明にかかる水切りの更に他の実施例の右側面図である。
図５に示す水切りＡ４も、図３に示す水切りＡ２と同じように、１枚のガルバリウム鋼板（登録商標）を折曲加工して製造されており、背板部４ａと、水切り板部４ｂと、前板部４ｃが連結して形成されており、背板部４ａの表面から背面にかけて、アクリル系粘着剤からなる接着層４ｄが設けられており、接着層４ｄの表面は一枚の剥離紙４ｅにより覆われている。しかし、水切りＡ４は、水切りＡ２とは剥離紙の切り込み線の位置が異なる。水切りＡ４では、剥離紙４ｅの切り込み線４ｆは、背板部４ａの背面を覆う部分に、背板部４ａの長さ方向に延びている。
しかし、図５に示す水切りＡ４も、図３に示す水切りＡ２と同じように施工することができ、水切りＡ２と同じ効果を得ることができる。
【００２４】
図６は、本発明にかかる水切りの更に他の実施例の右側面図である。
図６に示す水切りＡ５も、図１に示す水切りＡ１と同じように、１枚のガルバリウム鋼板（登録商標）を折曲加工して製造されており、背板部５ａと、水切り板部５ｂと、前板部５ｃが連結して形成されており、背板部５ａの表面と、上端部と、背面には、アクリル系粘着剤からなる接着層が設けられており、接着層の表面は剥離紙により覆われている。しかし、水切りＡ５は、水切りＡ１とは接着層と剥離紙の形状が異なる。水切りＡ５では、接着層は、背板部５ａの表面にあり、背板部５ａの長さ方向に延びた接着層５ｄ１と、背板部５ａの表面から背面にかけて設けられた、背板部５ａの長さ方向に延びた接着層５ｄ２とからなり、接着層５ｄ１と接着層５ｄ２は繋がっていない。そのため、、剥離紙も、接着層５ｄ１の表面を覆う剥離紙５ｅ１と、接着層５ｄ２の表面を覆う剥離紙５ｅ２とからなり、剥離紙５ｅ１と剥離紙５ｅ２は繋がっていない。そのため、剥離紙５ｅ１と剥離紙５ｅ２は、別々に剥がすことができる。
しかし、図６に示す水切りＡ５も、図１に示す水切りＡ１と同じように施工することができ、水切りＡ１と同じ効果を得ることができる。また、剥離紙５ｅ１と剥離紙５ｅ２を別々に剥がすことができるので、図３に示す水切りＡ２と同じ効果も得ることができる。
【００２５】
図７は、本発明にかかる水切りの更に他の実施例の右側面図である。
図７に示す水切りＡ６も、図６に示す水切りＡ５と同じように、１枚のガルバリウム鋼板（登録商標）を折曲加工して製造されており、背板部６ａと、水切り板部６ｂと、前板部６ｃが連結して形成されており、背板部６ａの表面には、背板部６ａの長さ方向に延びた、アクリル系粘着剤からなる接着層６ｄ１が設けられており、背板部６ａの表面から背面にかけては、背板部６ａの長さ方向に延びた、アクリル系粘着剤からなる接着層６ｄ２が設けられており、接着層６ｄ１と接着層６ｄ２の表面は剥離紙により覆われている。しかし、水切りＡ６は、水切りＡ５とは剥離紙の形状と、剥離紙に切り込み線を有することが異なる。水切りＡ６では、一枚の剥離紙６ｅにより、接着層６ｄ１と接着層６ｄ２が覆われており、剥離紙６ｅの背板部６ａの表面を覆う部分に、切り込み線６ｆが、背板部６ａの長さ方向に延びている。
しかし、図７に示す水切りＡ６も、図６に示す水切りＡ５と同じように施工することができ、水切りＡ５と同じ効果を得ることができる。
【００２６】
図８は、本発明にかかる水切りの更に他の実施例の右側面図である。
図８に示す水切りＡ７も、図１に示す水切りＡ１と同じように、１枚のガルバリウム鋼板（登録商標）を折曲加工して製造されており、背板部７ａと、水切り板部７ｂと、前板部７ｃが連結して形成されており、背板部７ａの表面と、上端部と、背面には、アクリル系粘着剤からなる接着層が設けられており、接着層の表面は剥離紙により覆われている。しかし、水切りＡ７は、水切りＡ１とは接着層と剥離紙の形状が異なる。水切りＡ７では、接着層は、背板部７ａの表面にあり、背板部７ａの長さ方向に延びた接着層７ｄ１と、背板部７ａの表面から背面にかけて設けられた、背板部７ａの長さ方向に延びた接着層７ｄ２と、背板部７ａの背面にあり、背板部７ａの長さ方向に延びた接着層７ｄ３とからなり、接着層７ｄ１と、接着層７ｄ２と、接着層７ｄ３は繋がっていない。そのため、剥離紙も、接着層７ｄ１の表面を覆う剥離紙７ｅ１と、接着層７ｄ２の表面を覆う剥離紙７ｅ２と、接着層７ｄ３の表面を覆う剥離紙７ｅ３とからなり、剥離紙７ｅ１と、剥離紙７ｅ２と、剥離紙７ｅ３は繋がっておらず、剥離紙７ｅ１と、剥離紙７ｅ２と、剥離紙７ｅ３は、別々に剥がすことができる。
しかし、図８に示す水切りＡ７も、図１に示す水切りＡ１と同じように施工することができ、水切りＡ１と同じ効果を得ることができる。また、剥離紙を別々に剥がすことができるので、図３に示す水切りＡ２と同じ効果も得ることができる。
【００２７】
図９は、本発明にかかる水切りの更に他の実施例の右側面図である。
図９に示す水切りＡ８も、図８に示す水切りＡ７と同じように、１枚のガルバリウム鋼板（登録商標）を折曲加工して製造されており、背板部８ａと、水切り板部８ｂと、前板部８ｃが連結して形成されており、背板部８ａの表面には、背板部８ａの長さ方向に延びた、アクリル系粘着剤からなる接着層８ｄ１が設けられており、背板部８ａの表面から背面にかけては、背板部８ａの長さ方向に延びた、アクリル系粘着剤からなる接着層８ｄ２が設けられており、背板部８ａの背面には、背板部８ａの長さ方向に延びた、アクリル系粘着剤からなる接着層８ｄ３が設けられており、接着層８ｄ１と、接着層８ｄ２と、接着層８ｄ３は、繋がっていない。そして、接着層８ｄ１と、接着層８ｄ２と、接着層８ｄ３の表面は剥離紙により覆われている。しかし、水切りＡ８は、水切りＡ７とは剥離紙の形状と、剥離紙に切り込み線を有することが異なる。水切りＡ８では、一枚の剥離紙８ｅにより、接着層８ｄ１、接着層８ｄ２、接着層８ｄ３が覆われており、剥離紙８ｅの背板部８ａの上端部を覆う部分に、切り込み線８ｆが、背板部８ａの長さ方向に延びている。
しかし、図９に示す水切りＡ８も、図８に示す水切りＡ７と同じように施工することができ、水切りＡ７と同じ効果を得ることができる。
【００２８】
図１０は、本発明にかかる水切りの更に他の実施例の右側面図である。
図１０に示す水切りＡ９も、図３に示す水切りＡ２と同じように、１枚のガルバリウム鋼板（登録商標）を折曲加工して製造されており、背板部９ａと、水切り板部９ｂと、前板部９ｃが連結して形成されており、背板部９ａの表面と、上端部と、背面には、アクリル系粘着剤からなる接着層が設けられており、接着層の表面は剥離紙により覆われている。しかし、水切りＡ９は、水切りＡ２とは接着層と剥離紙の切り込み線の位置が異なる。水切りＡ９では、背板部９ａの長さ方向に延びた接着層９ｄが、背板部９ａの表面から背面にかけて複数設けられており、各接着層は繋がっていない。しかし、全ての接着層９ｄの表面は、一枚の剥離紙９ｅにより覆われており、剥離紙９ｅの背板部９ａの表面を覆う部分に、切り込み線９ｆが、背板部９ａの長さ方向に延びている。
しかし、図１０に示す水切りＡ９も、図３に示す水切りＡ２と同じように施工することができ、水切りＡ２と同じ効果を得ることができる。
【００２９】
図１１は、本発明にかかる水切りの更に他の実施例の右側面図である。
図１１に示す水切りＡ１０も、図３に示す水切りＡ２と同じように、１枚のガルバリウム鋼板（登録商標）を折曲加工して製造されており、背板部１０ａと、水切り板部１０ｂと、前板部１０ｃが連結して形成されており、背板部１０ａの表面と背面には、アクリル系粘着剤からなる接着層が設けられており、接着層の表面は剥離紙により覆われている。しかし、水切りＡ１０は、水切りＡ２とは接着層と剥離紙の切り込み線の位置が異なる。水切りＡ１０では、背板部１０ａの表面には、背板部１０ａの長さ方向に延びた接着層１０ｄ１が設けられており、背板部１０ａの背面には、背板部１０ａの長さ方向に延びた接着層１０ｄ２が設けられており、接着層１０ｄ１と接着層１０ｄ２は繋がっていない。しかし、接着層１０ｄ１と接着層１０ｄ２の表面は、一枚の剥離紙１０ｅにより覆われており、剥離紙１０ｅの背板部１０ａの表面を覆う部分に、切り込み線１０ｆが、背板部１０ａの長さ方向に延びている。
しかし、図１１に示す水切りＡ１０も、図３に示す水切りＡ２と同じように施工することができ、水切りＡ２と同じ効果を得ることができる。
【００３０】
図１２は、本発明にかかる水切りの更に他の実施例の右側面図である。
図１２に示す水切りＡ１１も、図１に示す水切りＡ１と同じように、１枚のガルバリウム鋼板（登録商標）を折曲加工して製造されており、背板部１１ａと、水切り板部１１ｂと、前板部１１ｃが連結して形成されており、背板部１１ａの表面と背面には、アクリル系粘着剤からなる接着層が設けられており、接着層の表面は剥離紙により覆われている。しかし、水切りＡ１１は、水切りＡ１とは接着層と剥離紙の形状が異なる。水切りＡ１１では、背板部１１ａの表面には、背板部１１ａの長さ方向に延びた接着層１１ｄ１が設けられており、背板部１１ａの背面には、背板部１１ａの長さ方向に延びた接着層１１ｄ２が設けられている。そして、接着層１１ｄ１と接着層１１ｄ２は、幅方向では背板部１１ａの上端よりも上にまで延びており、背板部１１ａの上端よりも上方においては、接着層１１ｄ１と接着層１１ｄ２の互いの背面は接着している。そして、接着層１１ｄ１の表面は、剥離紙１１ｅ１により覆われており、接着層１１ｄ２の表面は、剥離紙１１ｅ２により覆われているが、剥離紙１１ｅ１と剥離紙１１ｅ２は繋がっていない。
しかし、図１２に示す水切りＡ１１も、図１に示す水切りＡ１と同じように施工することができ、水切りＡ１と同じ効果を得ることができる。また、剥離紙１１ｅ１と剥離紙１１ｅ２を別々に剥がすことができるので、図３に示す水切りＡ２と同じ効果も得ることができる。
【００３１】
以上に本発明の実施形態について説明したが、本発明はこれに限定されず、特許請求の範囲に記載の発明の範囲において種々の変形態を取り得る。例えば、接着層がゴム系粘着剤でも良いし、接着層の表面が突起部を有しても良いし、接着層を突起状にし、配列しても良い。また、背板部の表面の接着層を、該背板部の中心よりも上方又は下方に設け、背板部の中心に釘を打ち込んでも良い。
【産業上の利用可能性】
【００３２】
以上説明したように、本発明によれば、仮留めできるとともに施工が行いやすい水切りを提供することができる。
【符号の説明】
【００３３】
Ａ１〜Ａ１１    水切り
Ｂ              釘
Ｃ              透湿防水シート
Ｄ              外壁板
１ａ〜１１ａ    背板部
１ｂ〜１１ｂ    水切り板部
１ｃ〜１１ｃ    前板部
１ｄ〜１１ｄ２  接着層
１ｅ〜１１ｅ２  剥離紙
２ｆ〜１０ｆ    切り込み線
【図１】
2011162999.tif 000003
【図２】
2011162999.tif 000004
【図３】
2011162999.tif 000005
【図４】
2011162999.tif 000006
【図５】
2011162999.tif 000007
【図６】
2011162999.tif 000008
【図７】
2011162999.tif 000009
【図８】
2011162999.tif 000010
【図９】
2011162999.tif 000011
【図１０】
2011162999.tif 000012
【図１１】
2011162999.tif 000013
【図１２】
2011162999.tif 000014